(57)【要約】【課題】ユーザインタフェースの乏しい携帯端末において、端末のユーザが安全かつ容易に設定変更可能な環境を提供する。【解決手段】携帯端末１は、電子メールを暗号化する暗号鍵及び復号鍵を鍵生成プログラム１０２で生成するとともに、この復号鍵に基づいて前記暗号鍵により暗号化されている電子メールを復号化プログラム１０３で復号し、メール解析プログラム１０４でメール解析を行って設定変更インターフェースプログラム１０１で設定変更を実施する。一方、パーソナルコンピュータ２の設定変更インターフェースプログラム２０６は、設定変更可能な項目を表示してユーザの設定変更入力を受け付けるとともに暗号鍵の入力を要求し、ユーザの入力した設定変更情報をメール生成プログラム２０７で電子メールに生成し、入力された暗号鍵を用いて暗号化プログラム２０８で電子メールを暗号化し携帯端末１に送信する。【選択図】  図１
2005018143.tif 000002
【特許請求の範囲】
【請求項１】
携帯端末とパソコン等の情報端末装置とからなる携帯端末の設定変更システムであって、
前記携帯端末は、電子メールを暗号化する暗号鍵及びこの暗号鍵により暗号化された当該携帯端末の設定変更情報である電子メールを復号するための復号鍵を生成するとともに、この復号鍵に基づいて前記暗号鍵により暗号化されている電子メールを復号し、メール解析を行って当該携帯端末の設定変更を実施する一方、
前記情報端末装置は、前記携帯端末の設定変更可能な項目を表示してユーザの設定変更入力を受け付けるとともに、暗号鍵の入力を要求し、ユーザの入力した設定変更情報を電子メールに生成し、入力された暗号鍵を用いて前記電子メールを暗号化し前記携帯端末に送信することを特徴とする電子メールを利用した携帯端末の設定変更システム。
【請求項２】
携帯端末とパソコン等の情報端末装置とからなる携帯端末の設定変更システムであって、
前記携帯端末は、
電子メールを暗号化する暗号鍵及びこの暗号鍵により暗号化された当該携帯端末の設定変更情報である電子メールを復号するための復号鍵を生成する鍵生成手段と、
前記復号鍵に基づいて前記暗号鍵により暗号化されている電子メールを前記情報端末装置より受信し復号する受信・復号化手段と、
復号された電子メールを解析するメール解析手段と、
解析結果である設定変更の内容を保存する設定保存手段とを備えており、
前記情報端末装置は、
前記携帯端末の設定変更可能な項目を表示して対話的にユーザの設定変更入力を受け付けるとともに、暗号鍵の入力を要求する設定変更受付手段と、
前記ユーザの入力した設定変更情報を電子メールに生成するメール生成手段と、
ユーザにより入力された暗号鍵に基づいて、生成された前記電子メールを暗号化し前記携帯端末に送信する暗号化・送信手段とを備えたことを特徴とする電子メールを利用した携帯端末の設定変更システム。
【請求項３】
前記メール生成手段は、前記ユーザの入力した設定変更項目の情報を前記メール解析手段にて解析可能な書式に合わせて電子メールに生成し、前記メール解析手段は、前記復号化手段にて復号された電子メールの書式が解析可能な書式である場合にのみその電子メールを解析することを特徴とする請求項２に記載の電子メールを利用した携帯端末の設定変更システム。
【請求項４】
前記鍵生成手段は、生成した前記復号鍵の有効期限を設定し、前記受信・復号化手段は、前記情報端末装置から暗号化された電子メールを受け取ったとき、復号する際に前記有効期限を確認し、有効期限内である場合にのみ復号を実施することを特徴とする請求項２に記載の電子メールを利用した携帯端末の設定変更システム。
【請求項５】
前受信・復号化手段は、復号する際に前記有効期限が過ぎている場合には、復号する前に前記電子メールを削除することを特徴とする請求項４に記載の電子メールを利用した携帯端末の設定変更システム。
【請求項６】
携帯端末とパソコン等の情報端末装置とを用いた携帯端末の設定変更方法であって、
前記携帯端末側において、電子メールを暗号化する暗号鍵及びこの暗号鍵により暗号化された当該携帯端末の設定変更情報である電子メールを復号するための復号鍵を生成する鍵生成段階と、
前記情報端末装置側において、前記携帯端末の設定変更可能な項目を表示してユーザの設定変更入力を受け付けるとともに、暗号鍵の入力を要求する設定変更受付段階と、
前記情報端末装置側において、ユーザの入力した設定変更情報を電子メールに生成するメール生成段階と、
前記情報端末装置側において、ユーザにより入力された暗号鍵に基づいて、前記生成された電子メールを暗号化し前記携帯端末に送信する暗号化・送信段階と、
前記携帯端末側において、前記暗号鍵により暗号化されている電子メールを前記情報端末装置より受信し、前記復号鍵に基づいて受信した電子メールを復号する受信・復号化段階と、
前記携帯端末側において、復号された電子メールを解析するメール解析段階と、
前記携帯端末側において、解析結果である設定変更の内容を保存する設定保存段階とを備えていることを特徴とする電子メールを利用した携帯端末の設定変更方法。
【請求項７】
前記鍵生成段階は、生成した前記復号鍵の有効期限を設定する段階を含み、前記受信・復号化段階は、前記情報端末装置から暗号化された電子メールを受け取ったとき、復号する際に前記有効期限を確認する段階を含み、有効期限内である場合にのみ復号を実施することを特徴とする請求項６に記載の電子メールを利用した携帯端末の設定変更方法。
【請求項８】
携帯端末の設定項目を変更する設定変更データ用の電子メールを情報端末装置で生成するためのコンピュータ読み取り可能な設定変更データ生成プログラムであって、
前記携帯端末の設定変更可能な項目を表示して対話的にユーザの設定変更入力を受け付けるとともに、前記携帯端末により生成された電子メールを暗号化する暗号鍵の入力を要求する設定変更受付ステップと、
ユーザの入力した設定変更情報を電子メールに生成するメール生成ステップと、
ユーザにより入力された暗号鍵に基づいて、生成された電子メールを暗号化する暗号化ステップと、
暗号化した電子メールを前記携帯端末に送信する送信ステップとを備えたことを特徴とする設定変更データ生成プログラム。
【請求項９】
情報端末装置側で生成された設定変更データ用の電子メールを受信した携帯端末において設定項目の変更処理を実行するためのコンピュータ読み取り可能な設定項目変更プログラムであって、
前記電子メールを暗号化する暗号鍵及びこの暗号鍵により暗号化された当該携帯端末の設定変更データである前記電子メールを復号するための復号鍵を生成する鍵生成ステップと、
前記情報端末装置側において前記暗号鍵により暗号化された電子メールを受信する受信ステップと、
受信した電子メールを前記復号鍵に基づいて復号する復号化ステップと、
復号された電子メールを解析するメール解析ステップと、
解析結果である設定変更の内容を保存する設定保存ステップとを備えたことを特徴とする設定項目変更プログラム。
【請求項１０】
前記鍵生成ステップは、生成した前記復号鍵の有効期限を設定するステップを含み、前記復号化ステップは、前記情報端末装置から暗号化された電子メールを受け取ったとき、復号する際に前記有効期限を確認するステップを含み、有効期限内である場合にのみ復号を実施することを特徴とする請求項９に記載の設定項目変更プログラム。
【請求項１１】
請求項８に記載の設定変更データ生成プログラムまたは請求項９に記載の設定項目変更プログラムまたは請求項１０に記載の設定項目変更プログラムを記録したコンピュータ読み取り可能な記録媒体。
【発明の詳細な説明】
【０００１】
【発明の属する技術分野】
本発明は、携帯端末の設定項目の設定及び変更を、端末外部の任意の装置から行うことのできる電子メールを利用した携帯端末の設定変更システム、設定変更方法、設定変更データ生成プログラム、設定項目変更プログラム、及びこれらのプログラムを記録した記録媒体に関する。
【０００２】
【従来の技術】
従来の携帯端末では、携帯端末の持つユーザインタフェースを用いて設定の変更を行っている。この場合、設定変更の操作は、紙のマニュアルを見て操作するか、携帯端末に搭載されたディスプレイに表示された操作指示を見て操作するようになっている。
【０００３】
この他にも、オンラインマニュアルを端末画面に表示し、表示されたオンラインマニュアルに従って設定を変更する手法も提案されている（例えば、特許文献１参照）。
【０００４】
また、ＩＣカードを搭載した携帯端末において、ＩＣカードを管理するＩＣカード管理会社が携帯端末から設定変更の申し込みを受け付けると、設定変更メール（電子メール）を作成し、特定されたメールアドレス先に送信することによって携帯端末の設定変更を行う方法も提案されている（例えば、特許文献２参照）。
【０００５】
【特許文献１】
特開２００２−２１８５４８号公報
【特許文献２】
特開２００２−２５９８６９号公報
【０００６】
【発明が解決しようとする課題】
上記したように、従来の携帯端末は、端末単体で全ての設定操作を完結させるようになっている。しかし、小さな端末画面に設定方法の解説を表示する方法では、表示できる情報量が限られるため、どうしてもマニュアルが必要となっていた。この場合、マニュアルを上記特許文献１のようにオンラインマニュアルとすることもできるが、機能が増えつづけている携帯端末のマニュアルはその情報量が多くなる一方であり、設定項目を探すだけでも労力を要する面倒なものであった。
【０００７】
これに対し、端末外部で選択した設定変更を、電子メールを用いて端末に送り、電子メールを端末が解析して設定を変更する上記特許文献２の手法では、ＩＣカード会社が通信事業者と提携して専用の通信回線を使用するものであるため、設定内容の保護といったことは全く考慮されていない。すなわち、特許文献２に記載のものは、一般ユーザによる設定変更を想定したものではない。
【０００８】
本発明はかかる問題点を解決すべく創案されたもので、その目的は、ユーザインタフェースの乏しい携帯端末において、端末のユーザが安全かつ容易に設定変更可能な環境を提供することのできる電子メールを利用した携帯端末の設定変更システム、設定変更方法、設定変更データ生成プログラム、設定項目変更プログラム、及びこれらのプログラムを記録した記録媒体を提供することにある。
【０００９】
【課題を解決するための手段】
本発明の電子メールを利用した携帯端末の設定変更システムは、携帯端末とパソコン等の情報端末装置とからなる携帯端末の設定変更システムであって、前記携帯端末は、電子メールを暗号化する暗号鍵及びこの暗号鍵により暗号化された当該携帯端末の設定変更情報である電子メールを復号するための復号鍵を生成するとともに、この復号鍵に基づいて前記暗号鍵により暗号化されている電子メールを復号し、メール解析を行って当該携帯端末の設定変更を実施する一方、前記情報端末装置は、前記携帯端末の設定変更可能な項目を表示してユーザの設定変更入力を受け付けるとともに、暗号鍵の入力を要求し、ユーザの入力した設定変更情報を電子メールに生成し、入力された暗号鍵を用いて前記電子メールを暗号化し前記携帯端末に送信することを特徴とする。
【００１０】
より具体的に説明すると、前記携帯端末は、電子メールを暗号化する暗号鍵及びこの暗号鍵により暗号化された当該携帯端末の設定変更情報である電子メールを復号するための復号鍵を生成する鍵生成手段と、前記復号鍵に基づいて前記暗号鍵により暗号化されている電子メールを前記情報端末装置より受信し復号する受信・復号化手段と、復号された電子メールを解析するメール解析手段と、解析結果である設定変更の内容を保存する設定保存手段とを備えており、前記情報端末装置は、前記携帯端末の設定変更可能な項目を表示して対話的にユーザの設定変更入力を受け付けるとともに、暗号鍵の入力を要求する設定変更受付手段と、前記ユーザの入力した設定変更情報を電子メールに生成するメール生成手段と、ユーザにより入力された暗号鍵に基づいて、生成された前記電子メールを暗号化し前記携帯端末に送信する暗号化・送信手段とを備えている。
【００１１】
このような特徴を有する本発明によれば、電子メールを暗号化して、設定内容を携帯端末に送ることにより、携帯端末の設定を端末外部の任意の装置から容易かつ安全に変更することができる。また、ユーザの利便性を高めるため、対話式の操作によって、ユーザが希望の設定を実現する設定変更データ用の電子メールを自動生成するプログラムを用意すれば、携帯端末に比べ操作が容易なパーソナルコンピュータなどの情報端末装置によって、安全に設定を変更することが可能となる。
【００１２】
この場合、前記鍵生成手段は、生成した前記復号鍵の有効期限を設定し、前記受信・復号化手段は、前記情報端末装置から暗号化された電子メールを受け取ったとき、復号する際に前記有効期限を確認し、有効期限内である場合にのみ復号を実施するように構成することが可能である。また、前受信・復号化手段は、復号する際に前記有効期限が切れている場合には、復号する前に前記電子メールを削除するように構成することが可能である。
【００１３】
すなわち、電子メールを暗号化する際、暗号鍵の生成を携帯端末側で行わせ、この暗号鍵（パスワード文字列）を画面に表示するとともに携帯端末に保存する。そして、携帯端末の設定変更項目を情報端末装置側で暗号化する際に、画面に表示された暗号鍵を使って、携帯端末で復号できる形式で暗号化する。一方、携帯端末側では、この暗号鍵に対応する復号鍵に有効期限を設け、有効期限を過ぎた復号鍵を自動的に削除する。そして、保存してある暗号鍵でのみ暗号化されたメールを、対応する復号鍵を用いて復号する。
【００１４】
これにより、電子メールを利用した設定変更であっても、暗号を解析され、設定を改ざんされるといった危険性を低減することができる。また、ユーザが端末外部より設定変更を行わないときには、端末外部より第３者が設定を変更する危険性を完全に排除することができる。
【００１５】
また、上記目的を達成するため、本発明の電子メールを利用した携帯端末の設定変更方法は、携帯端末とパソコン等の情報端末装置とを用いた携帯端末の設定変更方法であって、前記携帯端末側において、電子メールを暗号化する暗号鍵及びこの暗号鍵により暗号化された当該携帯端末の設定変更情報である電子メールを復号するための復号鍵を生成する鍵生成段階と、前記情報端末装置側において、前記携帯端末の設定変更可能な項目を表示してユーザの設定変更入力を受け付けるとともに、暗号鍵の入力を要求する設定変更受付段階と、前記情報端末装置側において、ユーザの入力した設定変更情報を電子メールに生成するメール生成段階と、前記情報端末装置側において、ユーザにより入力された暗号鍵に基づいて、前記生成された電子メールを暗号化し前記携帯端末に送信する暗号化・送信段階と、前記携帯端末側において、前記暗号鍵により暗号化されている電子メールを前記情報端末装置より受信し、前記復号鍵に基づいて受信した電子メールを復号する受信・復号化段階と、前記携帯端末側において、復号された電子メールを解析するメール解析段階と、前記携帯端末側において、解析結果である設定変更の内容を保存する設定保存段階とを備えていることを特徴とする。この場合、前記鍵生成段階は、生成した前記復号鍵の有効期限を設定する段階を含み、前記受信・復号化段階は、前記情報端末装置から暗号化された電子メールを受け取ったとき、復号する際に前記有効期限を確認する段階を含み、有効期限内である場合にのみ復号を実施するようにしてもよい。
【００１６】
さらに、上記目的を達成するため、本発明の設定変更データ生成プログラムは、携帯端末の設定項目を変更する設定変更データ用の電子メールを情報端末装置で生成するためのコンピュータ読み取り可能な設定変更データ生成プログラムであって、前記携帯端末の設定変更可能な項目を表示して対話的にユーザの設定変更入力を受け付けるとともに、前記携帯端末により生成された電子メールを暗号化する暗号鍵の入力を要求する設定変更受付ステップと、ユーザの入力した設定変更情報を電子メールに生成するメール生成ステップと、ユーザにより入力された暗号鍵に基づいて、生成された電子メールを暗号化する暗号化ステップと、暗号化した電子メールを前記携帯端末に送信する送信ステップとを備えたことを特徴とする。
【００１７】
また、本発明の設定項目変更プログラムは、情報端末装置側で生成された設定変更データ用の電子メールを受信した携帯端末において設定項目の変更処理を実行するためのコンピュータ読み取り可能な設定項目変更プログラムであって、前記電子メールを暗号化する暗号鍵及びこの暗号鍵により暗号化された当該携帯端末の設定変更データである前記電子メールを復号するための復号鍵を生成する鍵生成ステップと、前記情報端末装置側において前記暗号鍵により暗号化された電子メールを受信する受信ステップと、受信した電子メールを前記復号鍵に基づいて復号する復号化ステップと、復号された電子メールを解析するメール解析ステップと、解析結果である設定変更の内容を保存する設定保存ステップとを備えたことを特徴とする。この場合、前記鍵生成ステップは、生成した前記復号鍵の有効期限を設定するステップを含み、前記復号化ステップは、前記情報端末装置から暗号化された電子メールを受け取ったとき、復号する際に前記有効期限を確認するステップを含み、有効期限内である場合にのみ復号を実施するようにしてもよい。
【００１８】
このような特徴を有する本発明のプログラムによれば、プログラムが実行可能なコンピュータ環境さえあれば、どこにおいても本発明の設定変更データ生成プログラム及び設定項目変更プログラムを実現することができる。さらに、この設定変更データ生成プログラムを汎用的なコンピュータで実施可能なものにしておけば、本発明の電子メールを利用した携帯端末の設定変更システムを実現するために専用のコンピュータ環境を準備する必要もなくなり、本発明の設定変更データ生成プログラムの有用性が高まる。
【００１９】
また、上記設定変更データ生成プログラムまたは設定項目変更プログラムは、コンピュータ読み取り可能な記録媒体に記録して提供することができる。このように、本発明の設定変更データ生成プログラムまたは設定項目変更プログラムを記録した記録媒体によれば、本発明の設定変更システムをさまざまな場所や環境で実現することが容易になり、本発明の設定変更方法の汎用性を高めることができる。
【００２０】
【発明実施の形態】
−本実施形態の設定変更システムの概要−
本実施形態においては、携帯端末メーカもしくは通信事業者が、設定変更用の電子メールを、対象となる携帯端末が復号可能な暗号文に変換する電子メール暗号化プログラムである設定変更データ生成プログラムを提供する。この設定変更データ生成プログラムは、ユーザの希望する設定を対話式の操作によって取得し、電子メールを自動生成するプログラムとともに、提供されることが望ましい。
【００２１】
ユーザは、この設定変更データ用電子メール生成プログラムを使って任意の設定項目の変更事項を選択し、メールを生成する。このプログラムは設定項目に対するマニュアルを表示し、対話的に操作することを可能とする。
【００２２】
ユーザは、携帯端末を操作して当該携帯端末で暗号化の鍵を生成するとともに、復号に必要な鍵も生成して携帯端末に保存する。生成された暗号鍵は、端末画面に文字列として表示される。ユーザは、表示された暗号鍵をパソコン等の情報端末装置に実装されている暗号化プログラムに入力して電子メールを暗号化して携帯端末に送信する。復号鍵には有効期限を設け、携帯端末は有効期限の過ぎた復号鍵を削除する。
【００２３】
暗号化された電子メールを受信した携帯端末は、有効期限内の復号鍵が携帯端末内に保存されているかを確認する。そして、復号鍵が保存されている場合は復号を試みる。ここで、復号鍵がない場合、復号鍵が一致せず復号に失敗した場合は、メッセージを表示して処理を終了する。一方、復号に成功した場合は、電子メールの設定内容を解析する。このとき、書式や設定内容が不適当な場合は、メッセージを表示して処理を終了する。また、電子メールの設定内容が正常な場合は、携帯端末の設定を変更し、メッセージを表示して処理を終了する。
【００２４】
以下、本発明の実施形態について、図面を参照して具体的に説明する。
【００２５】
図１は、本実施形態の設定変更システムの構成を示している。
【００２６】
この設定変更システムは、携帯端末１と情報端末装置（以下、「パーソナルコンピュータ」という。）２とからなり、それぞれ演算装置、記憶装置、表示装置、入力装置からなるコンピュータシステムを構成する。図１中の各ブロックは、これらコンピュータシステム上のプログラムとして実装されており、携帯端末１上には設定変更インターフェースプログラム１０１、鍵生成プログラム１０２、復号化プログラム１０３、メール解析プログラム１０４が実装され、パーソナルコンピュータ２上には設定変更インターフェースプログラム２０６、メール生成プログラム２０７、暗号化プログラム２０８が実装されている。なお、図中の符号１０５は設定保存レジスタ、２０９はマニュアル保存メモリである。
【００２７】
携帯端末１上の設定変更インタフェース１０１は、ユーザの命令により起動され、鍵生成プログラム１０２を起動して暗号鍵を生成させ、生成させた暗号化鍵を図示しない表示装置を通してユーザに提示する。また、設定変更用の暗号化されている電子メールが届いた場合には、メールの復号・解析結果を受け、ユーザに結果を提示する。そして、解析結果が正常であれば、メール内容の設定情報を設定保存レジスタ１０５に書き込み、当該携帯端末１の設定に反映させる。
【００２８】
鍵生成プログラム１０２は、ユーザの命令を設定変更インターフェースプログラム１０１より受け、暗号・復号の鍵を生成する。生成した暗号鍵は設定変更インターフェースプログラム１０１に渡し、復号鍵は有効期限を設定して復号化プログラム１０３に渡す。有効期限は、一般のコンピュータで暗号の解析にかかる時間に比べ、十分に短い時間を設定する。
【００２９】
復号化プログラム１０３は、鍵生成プログラム１０２より復号鍵とその復号鍵の有効期限を受け取り、復号鍵を有効期限とともに図示しない記憶装置に保存する。設定変更用の暗号化されている電子メールが届いた場合には、保存してある復号鍵で復号を試みる。この場合、復号を試みる際に有効期限を確認し、有効期限が切れた復号鍵は、復号を試みる前に削除する。鍵が一致し復号に成功した場合には、復号されたメールをメール解析プログラム１０４に渡す。一方、鍵が不一致で復号に失敗した場合には、その旨のメッセージを設定変更インターフェースプログラム１０１に渡す。
【００３０】
メール解析プログラム１０４は、復号されたメールを受け取ってその内容を解析する。そして、内容が端末の設定変更メールの書式と一致する場合には、設定変更内容を設定変更インターフェースプログラム１０１に渡す。一方、書式と一致しない場合には、その旨のメッセージを設定変更インターフェースプログラム１０１に渡す。
【００３１】
設定保存レジスタ１０５は、携帯端末１の設定を保存し、その値を変更することにより、携帯端末の設定や状態を変更することが可能となっている。
【００３２】
一方、パーソナルコンピュータ２上の設定変更インタフェース２０６は、マニュアル保存メモリ２０９に保存されたマニュアルとともに、携帯端末１の設定項目を図示しない表示装置に表示し、対話的にユーザが設定変更可能なインタフェースを提供する。そして、ユーザが変更した結果をメール生成プログラム２０７に渡す。また、設定変更インタフェース２０６は、暗号鍵入力のインタフェースも提供し、ユーザに暗号鍵の入力を求める。そして、入力された暗号鍵を暗号化プログラム２０８に渡す。
【００３３】
メール生成プログラム２０７は、設定変更インターフェースプログラム２０６より受け取った設定変更項目のデータを、携帯端末１のメール解析プログラム１０４で解析可能な書式で生成し、暗号化プログラム２０８に渡す。
【００３４】
暗号化プログラム２０８は、メール生成プログラム２０７で生成されたメールと設定変更インタフェースプログラム２０６から入力された暗号鍵とを受け取り、メールを暗号化する。そして、暗号化した設定変更用電子メールを携帯端末１のメールアドレスへ送信する。
【００３５】
暗号化した電子メールは、インターネット網Ｎを介して携帯端末１へ転送される。ただし、携帯電話等の通信機器の場合は、通信事業者の無線通信網を介する場合もある。
【００３６】
次に、上記構成の設定変更システムを用いて、携帯端末１の設定を変更する処理手順について、図２に示すフローチャートを参照して説明する。
【００３７】
携帯端末１の設定変更に際し、ユーザは、携帯端末１を使用してまず暗号鍵と復号鍵の生成を行う（ステップＳ１１）。すなわち、携帯端末１に鍵生成の命令を入力すると、設定変更インターフェースプログラム１０１は、鍵生成プログラム１０２を起動して暗号鍵と復号鍵とを生成し、生成した暗号鍵を設定変更インターフェースプログラム１０１に渡すとともに、復号鍵の有効期限を設定する。
【００３８】
この後、鍵生成プログラム１０２は、復号鍵の有効期限を確認するとともに（ステップＳ１２）、パーソナルコンピュータ２から電子メールを受信したかどうかを監視する（ステップＳ１４）。その結果、復号鍵の有効期限を過ぎた場合には、ステップＳ１２からステップＳ１３へと動作を進め、その時点で復号鍵を削除する（ステップＳ１３）。この場合、生成した暗号鍵も削除する。
【００３９】
一方、ユーザは、パーソナルコンピュータ２を操作して、設定変更項目を選択する（ステップＳ２１）。
【００４０】
すなわち、設定変更インタフェース２０６は、マニュアル保存メモリ２０９に保存されたマニュアルとともに、携帯端末１の設定変更可能な項目を図示しない表示装置に表示する。ユーザは、この表示内容に従って設定変更項目を選択する。
【００４１】
これにより、選択された設定変更項目データがメール生成プログラム２０７に渡される。メール生成プログラム２０７は、この設定変更項目データを、携帯端末１のメール解析プログラム１０４で解析可能な書式で生成し（ステップＳ２２）、暗号化プログラム２０８に渡す。
【００４２】
また、設定変更インタフェース２０６は、ユーザに暗号鍵の入力を求め、入力された暗号鍵を暗号化プログラム２０８に渡す（ステップＳ２３）。
【００４３】
暗号化プログラム２０８は、メール生成プログラム２０７で生成されたメールと設定変更インタフェースプログラム２０６から入力された暗号鍵とを受け取り、メールを暗号化する（ステップＳ２４）。そして、暗号化した設定変更用電子メールを携帯端末１のメールアドレスへ送信して（ステップＳ２５）、処理を終了する。
【００４４】
一方、携帯端末１が暗号化された電子メールを受信すると（ステップＳ１４でＹｅｓと判断されると）、復号化プログラム１０３は、保存してある復号鍵で復号を試みる（ステップＳ１５）。この場合、復号を試みる際に有効期限を確認し、有効期限が切れた復号鍵である場合（すなわち、鍵が一致しない場合）には、ステップＳ１５からステップＳ１８へと動作を進め、復号を試みる前に電子メールを削除するとともに、その旨のメッセージを設定変更インターフェースプログラム１０１に渡して表示装置に表示する（ステップＳ１８）。
【００４５】
一方、鍵が一致し復号に成功した場合には、ステップＳ１５からステップＳ１６へと動作を進め、復号したメールをメール解析プログラム１０４に渡す。メール解析プログラム１０４は、復号されたメールを受け取ってその内容を解析する（ステップＳ１６）。そして、内容が本携帯端末１の書式と一致する場合には、ステップＳ１６からステップＳ１７へと動作を進め、設定変更内容を設定変更インターフェースプログラム１０１に渡す。設定変更インターフェースプログラム１０１は、設定変更内容に従って携帯端末１の設定を変更し（ステップＳ１７）、メッセージを表示して処理を終了する。なお、書式が一致しない場合には、ステップＳ１６からステップＳ１９へと動作を進め、その旨のメッセージを設定変更インターフェースプログラム１０１に渡して表示装置に表示する。
【００４６】
−プログラム及び記録媒体−
以上説明した設定変更システムは、コンピュータで携帯端末の設定項目の変更処理を行うためのパーソナルコンピュータ側の設定変更データ生成プログラム、及び携帯端末側の設定項目変更プログラムで実現されている。これにより、設定変更データ生成プログラム及び設定項目変更プログラムが実行可能なコンピュータ環境さえあれば、どこにおいても本発明の設定変更システムを実現することができる。
【００４７】
発明の対象とするのは、これらプログラムそのものであってもよいし、このプログラムがコンピュータで読み取り可能な記録媒体に格納されているものであってもよい。
【００４８】
本発明では、この記録媒体として、マイクロコンピュータで処理が行なわれるために必要なメモリ、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータのプログラム記憶エリアにロードされて、そのプログラムが実行される方式であってもよい。このロード用のプログラムは予め本体装置に格納されているものとする。
【００４９】
ここで、上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００５０】
また、本発明においては、インターネットを含む通信ネットワークと接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。なお、記録媒体に格納されている内容としてはプログラムに限定されず、データであってもよい。
【００５１】
さらに、本発明では、プログラム自体として、マイクロコンピュータで実行される処理そのものであってもよいし、あるいはインターネットを含む通信ネットワークとアクセスすることで取り込める、あるいは取り込めたものであってもよいし、こちらから送り出すものであってもよい。さらには、この取り込んだプログラムに基づいて、上記設定変更システム内で処理された結果、つまり生成されたものであってもよい。あるいは、こちらから送り出す際に上記設定変更システム内で処理された結果、つまり生成されたものであってもよい。なお、これらのものはプログラムに限定されず、データであってもよい。
【００５２】
これにより、物理的な記録媒体の必要なしに、本発明の設定変更システムをさまざまな場所や環境で実現することが容易になり、本発明の設定変更システムの汎用性を一層高めることができる。
【００５３】
【発明の効果】
以上説明したように、本発明によれば、携帯端末に比べユーザインターフェースの豊富なパーソナルコンピュータなどの任意の外部機器で、携帯端末の設定を変えられるようになり、設定変更の操作を容易に行うことが可能となる。また、設定変更データの送信経路を暗号化することで第３者に設定内容を閲覧、改ざんされることを確実に防止することができる。
【図面の簡単な説明】
【図１】本発明の設定変更システムの一実施形態を示すブロック図である。
【図２】本発明の設定変更システムを用いて携帯端末の設定を変更する処理手順を示すフローチャートである。
【符号の説明】
１  携帯端末
２  情報端末装置（パーソナルコンピュータ）
１０１  設定変更インターフェースプログラム
１０２  鍵生成プログラム
１０３  復号化プログラム
１０４  メール解析プログラム
１０５  設定保存レジスタ
２０６  設定変更インターフェースプログラム
２０７  メール生成プログラム
２０８  暗号化プログラム
２０９  マニュアル保存メモリ
【図１】
2005018143.tif 000003
【図２】
2005018143.tif 000004